(57)【要約】【課題】人体に高温の洗浄水がかかるのを防止すると共に温水ヒータの電力消費を抑えつつノズルを適切に洗浄する。【解決手段】人体の局部洗浄を行うノズルを備え、ノズルを洗浄可能な洗浄便座装置であって、洗浄水を加温する温水ヒータを有する熱交換器と、前記熱交換器からの洗浄水の供給先を少なくとも前記局部洗浄用と前記ノズルの洗浄用とに切り替え可能な切替弁と、局部洗浄の開始前に所定の低温の洗浄水でノズルを洗浄する低温ノズル洗浄を実行し、局部洗浄の開始前以外の所定タイミングで低温よりも高い高温の洗浄水でノズルを洗浄する高温ノズル洗浄を実行するように、温水ヒータと切替弁とを制御する制御装置と、を備えるものである。【選択図】図２
2019183512.tif 000002
【特許請求の範囲】
【請求項１】
人体の局部洗浄を行うノズルを備え、前記ノズルを洗浄可能な洗浄便座装置であって、
洗浄水を加温する温水ヒータを有する熱交換器と、
前記熱交換器からの洗浄水の供給先を少なくとも前記局部洗浄用と前記ノズルの洗浄用とに切り替え可能な切替弁と、
前記局部洗浄の開始前に所定の低温の洗浄水で前記ノズルを洗浄する低温ノズル洗浄を実行し、前記局部洗浄の開始前以外の所定タイミングで前記低温よりも高い高温の洗浄水で前記ノズルを洗浄する高温ノズル洗浄を実行するように、前記温水ヒータと前記切替弁とを制御する制御装置と、
を備える洗浄便座装置。
【請求項２】
請求項１に記載の洗浄便座装置であって、
前記制御装置は、前記高温ノズル洗浄を実行してから所定時間以内に前記局部洗浄が行われる場合には、前記温水ヒータをオフとした状態で洗浄水を捨て水として排出するように、前記温水ヒータと前記切替弁とを制御する
洗浄便座装置。
【請求項３】
請求項１または２に記載の洗浄便座装置であって、
前記洗浄便座装置の使用者を検知する検知手段を備え、
前記制御装置は、前記局部洗浄の終了後に前記検知手段により使用者を検知しなくなったタイミングまたは使用者を検知しなくなってから一定時間経過したタイミングを前記所定タイミングとして、前記高温ノズル洗浄を実行する
洗浄便座装置。
【請求項４】
請求項１ないし３のいずれか１項に記載の洗浄便座装置であって、
前記制御装置は、前記局部洗浄において前記温水ヒータにより加温される温度の洗浄水を前記低温の洗浄水として、前記低温ノズル洗浄を実行する
洗浄便座装置。
【請求項５】
請求項１ないし４のいずれか１項に記載の洗浄便座装置であって、
前記制御装置は、前記高温ノズル洗浄を実行してから所定の時間間隔が経過したタイミングを前記所定タイミングとして、前記高温ノズル洗浄を再実行する
洗浄便座装置。
【発明の詳細な説明】
【技術分野】
【０００１】
本発明は、洗浄便座装置に関する。
【背景技術】
【０００２】
従来、この種の洗浄便座装置としては、人体局部を洗浄するノズルと、洗浄水を加温する温水ヒータとを備え、人体局部を洗浄する場合よりも高温の洗浄水でノズルを洗浄するものが提案されている。例えば、特許文献１の洗浄便座装置では、高温洗浄モードにおいて、高温の洗浄水をノズルから吐出させることで洗浄水の流路内に繁殖した細菌を殺菌する。また、高温洗浄モード中は、人体局部の洗浄動作を禁止することで、人体に高温の洗浄水がかかるのを防止している。また、特許文献２の洗浄便座装置では、ノズルに向けて高温の洗浄水を吐出する吐出部を備えており、ノズルが装置本体内に収納されているとき以外は吐出部から高温の洗浄水の吐出を禁止することで、人体に高温の洗浄水がかかるのを防止している。
【先行技術文献】
【特許文献】
【０００３】
【特許文献１】特開平１０−３１１０７８号公報
【特許文献２】特開２００４−９２０３０号公報
【発明の概要】
【発明が解決しようとする課題】
【０００４】
上述したように、高温の洗浄水によりノズルを洗浄可能なものにおいては、人体に高温の洗浄水がかかるのを防止しつつノズルを適切に洗浄することが求められている。一方で、高温の洗浄水によるノズルの洗浄を頻繁に行うと、温水ヒータの電力消費が過大となるから、ノズルを適切に洗浄するためになお改善の余地がある。
【０００５】
本発明は、人体に高温の洗浄水がかかるのを防止すると共に温水ヒータの電力消費を抑えつつノズルを適切に洗浄することを主目的とする。
【課題を解決するための手段】
【０００６】
本発明は、上述の主目的を達成するために以下の手段を採った。
【０００７】
本発明の洗浄便座装置は、人体の局部洗浄を行うノズルを備え、前記ノズルを洗浄可能な洗浄便座装置であって、洗浄水を加温する温水ヒータを有する熱交換器と、前記熱交換器からの洗浄水の供給先を少なくとも前記局部洗浄用と前記ノズルの洗浄用とに切り替え可能な切替弁と、前記局部洗浄の開始前に所定の低温の洗浄水で前記ノズルを洗浄する低温ノズル洗浄を実行し、前記局部洗浄の開始前以外の所定タイミングで前記低温よりも高い高温の洗浄水で前記ノズルを洗浄する高温ノズル洗浄を実行するように、前記温水ヒータと前記切替弁とを制御する制御装置と、を備えることを要旨とする。
【０００８】
本発明の洗浄便座装置では、局部洗浄の開始前に低温ノズル洗浄を実行し、局部洗浄の開始前以外の所定タイミングで高温ノズル洗浄を実行する。これにより、人体に高温の洗浄水がかかることなく局部洗浄の開始前に洗浄ノズルの汚れを除去することが可能となり、洗浄ノズルに付着した細菌などを所定タイミングで殺菌することが可能となるため、洗浄ノズルを適切に洗浄することができる。また、低温ノズル洗浄と高温ノズル洗浄とを併用することにより、常に高温ノズル洗浄を行うものに比して、電力消費を抑えつつノズルの洗浄機会を増やすことができる。したがって、人体に高温の洗浄水がかかるのを防止すると共に温水ヒータの電力消費を抑えつつノズルを適切に洗浄することができる。
【０００９】
本発明の洗浄便座装置において、前記制御装置は、前記高温ノズル洗浄を実行してから所定時間以内に前記局部洗浄が行われる場合には、前記温水ヒータをオフとした状態で洗浄水を捨て水として排出するように、前記温水ヒータと前記切替弁とを制御するものとしてもよい。こうすれば、高温ノズル洗浄に用いられた高温の洗浄水が切替弁内などに残存していても、捨て水として排出することで人体にかかるのを防止することができる。
【００１０】
本発明の洗浄便座装置において、前記洗浄便座装置の使用者を検知する検知手段を備え、前記制御装置は、前記局部洗浄の終了後に前記検知手段により使用者を検知しなくなったタイミングまたは使用者を検知しなくなってから一定時間経過したタイミングを前記所定タイミングとして、前記高温ノズル洗浄を実行するものとしてもよい。こうすれば、高温の洗浄水が人体にかかるのを防止しつつ、局部洗浄の終了後に比較的速やかに高温ノズル洗浄を行うことができる。このため、ノズルに付着した汚れが固着したり細菌が増殖したりする前に高温ノズル洗浄を行って、汚れの除去効果や細菌の殺菌効果をより高めることができる。
【００１１】
本発明の洗浄便座装置において、前記制御装置は、前記局部洗浄において前記温水ヒータにより加温される温度の洗浄水を前記低温の洗浄水として、前記低温ノズル洗浄を実行するものとしてもよい。こうすれば、低温ノズル洗浄を実行した後に速やかに局部洗浄を開始することができる。
【００１２】
本発明の洗浄便座装置において、前記制御装置は、前記高温ノズル洗浄を実行してから所定の時間間隔が経過したタイミングを前記所定タイミングとして、前記高温ノズル洗浄を再実行するものとしてもよい。こうすれば、高温ノズル洗浄を所定の時間間隔毎に実行することができるから、殺菌効果をより高めることができる。
【図面の簡単な説明】
【００１３】
【図１】洗浄便座装置１０が取り付けられた便器１の外観斜視図である。
【図２】洗浄便座装置１０の構成の概略を示す構成図である。
【図３】洗浄ノズル２１の収納状態を示す説明図である。
【図４】洗浄ノズル２１の進出状態を示す説明図である。
【図５】ノズルユニット作動処理の一例を示すフローチャートである。
【図６】局部洗浄用処理の一例を示すフローチャートである。
【図７】ノズル殺菌用処理の一例を示すフローチャートである。
【図８】変形例のノズル殺菌用処理を示すフローチャートである。
【発明を実施するための形態】
【００１４】
次に、本発明を実施するための形態について説明する。
【００１５】
図１は洗浄便座装置１０が取り付けられた便器１の外観斜視図であり、図２は洗浄便座装置１０の構成の概略を示す構成図であり、図３は洗浄ノズル２１の収納状態を示す説明図であり、図４は洗浄ノズル２１の進出状態を示す説明図である。本実施形態において、左右方向、前後方向及び上下方向は、図１，図３，図４に示した通りとする。
【００１６】
便器１は、トイレ室内に配設された洋式便器であり、便器１の上面に洗浄便座装置１０が設置されている。洗浄便座装置１０は、図１に示すように、便器１の後方に設置される便座装置本体１１と、便座装置本体１１に回動自在に支持された便座１２と、便座装置本体１１に回動自在に支持された便蓋１３と、使用者により操作される操作パネル１４とを備える。操作パネル１４には、おしり洗浄を指示するおしり洗浄スイッチやビデ洗浄を指示するビデ洗浄スイッチ、洗浄水の勢いを調整する水勢調整スイッチ、洗浄水の温度を調整する温度調整スイッチ、洗浄の停止を指示する停止スイッチなどが設けられている。
【００１７】
洗浄便座装置１０は、図２に示すように、人体の局部洗浄を行う２つの洗浄ノズルとしておしり洗浄ノズル２１とビデ洗浄ノズル２２とを有するノズルユニット２０と、洗浄便座装置１０の全体を制御する制御装置６０とを備える。ノズルユニット２０は、給水源からの給水を所定の給水圧に減圧する給水減圧弁２４と、給水減圧弁２４を通過した洗浄水を加温する温水ヒータ２５ａや洗浄水の温度を検出する温度センサ２５ｂが設けられた熱交換ユニット２５と、洗浄水の流量を調整する流量調整弁２６と、洗浄水の供給先を切り替える流路切替弁２７とを備える。温水ヒータ２５ａは、図示しない交流電源からの電力により駆動し、熱交換ユニット２５内に流入した洗浄水を瞬間的に加熱する。局部洗浄が行われる場合、温水ヒータ２５ａは、操作パネル１４の温度調整スイッチを介して調整された温度に応じて、例えば３５〜４０℃程度の範囲内の水温となるように洗浄水を加熱する。また、流量調整弁２６により局部洗浄中よりも洗浄水の流量を絞った状態で温水ヒータ２５ａが洗浄水を加熱することにより、局部洗浄を行う場合よりも高温に洗浄水を加熱可能である。例えば、局部洗浄を行う場合の半分程度以下となるように流量調整弁２６で流量を絞りつつ温水ヒータ２５ａで洗浄水を加熱することにより、例えば６０〜７０℃程度の高温まで加熱可能となっている。
【００１８】
また、ノズルユニット２０は、この他に、おしり洗浄ノズル２１を前後方向に進退移動させるおしり洗浄ノズル駆動部３１と、ビデ洗浄ノズル２２を前後方向に進退移動させるビデ洗浄ノズル駆動部３２と、おしり洗浄ノズル２１とビデ洗浄ノズル２２の外周全体を覆うノズルカバー２３（図３参照）と、おしり洗浄ノズル２１とビデ洗浄ノズル２２の外表面を洗浄するノズル洗浄器２９（図３参照）とを備える。
【００１９】
おしり洗浄ノズル２１は、図３，図４に示すように、内部に洗浄水の流路が形成されると共に先端部の上面にノズル孔２１ａが形成された中空の筒状部材として構成されている。また、ビデ洗浄ノズル２２も同様に構成されている。おしり洗浄ノズル駆動部３１は、図示は省略するが、例えば、駆動源としてのモータと、モータにより回転するピニオンギヤと、ピニオンギヤに噛み合うと共におしり洗浄ノズル２１に接続されピニオンギヤの回転に伴って移動可能なラック（フレキシブルラック）とを備えており、モータの正回転または逆回転によりおしり洗浄ノズル２１を前方または後方に移動させる。また、ビデ洗浄ノズル駆動部３２も同様に構成されている。なお、制御装置６０は、おしり洗浄ノズル駆動部３１やビデ洗浄ノズル駆動部３２の各モータの回転量や図示しない位置センサなどから、おしり洗浄ノズル２１やビデ洗浄ノズル２２の位置を検出可能である。
【００２０】
ノズルカバー２３は、図３，図４に示すように、おしり洗浄ノズル２１およびビデ洗浄ノズル２２が収納位置にある収納状態で（図３参照）、それらの先端を覆う開閉式のシャッター２３ａを有する。このシャッター２３ａは、左右に延びる長尺の平板状部材であり、上辺部に設けられた回動軸回りに回動可能である。シャッター２３ａは、おしり洗浄ノズル駆動部３１の駆動によりおしり洗浄ノズル２１が進出したりビデ洗浄ノズル駆動部３２の駆動によりビデ洗浄ノズル２２が進出したりすると、進出する洗浄ノズル（図４ではおしり洗浄ノズル２１）に裏面が押されて回動軸回りに回動することで開状態となる。
【００２１】
ノズル洗浄器２９は、おしり洗浄ノズル２１およびビデ洗浄ノズル２２の上方に配置されており、下面に設けられた吐出口２９ａから洗浄水を吐出することでおしり洗浄ノズル２１やビデ洗浄ノズル２２の外表面を洗浄する。また、ノズル洗浄器２９は、各洗浄ノズルが進退移動している状態で、吐出口２９ａから洗浄水を吐出することで、おしり洗浄ノズル２１やビデ洗浄ノズル２２の外表面の全体を洗浄することができる。
【００２２】
おしり洗浄ノズル２１とビデ洗浄ノズル２２とノズル洗浄器２９とは、図２に示すように、流路切替弁２７に接続されている。流路切替弁２７は、熱交換ユニット２５（流量調整弁２６）からの洗浄水の供給先を、おしり洗浄ノズル２１とビデ洗浄ノズル２２とノズル洗浄器２９とのいずれかに選択的に切り替え可能となっている。なお、流路切換弁２７は、図示しないモータにより駆動されるロータリバルブなどとして構成されている。
【００２３】
制御装置６０は、図示は省略するが、ＣＰＵを中心とするマイクロコンピュータとして構成されており、ＣＰＵの他にＲＯＭやＲＡＭ，タイマ，入出力ポートなどを備える。制御装置６０には、図２に示すように、操作パネル１４からの操作信号やトイレ室内への使用者の入室を検知する入室検知センサ１５からの検知信号、便座１２への使用者の着座を検知する着座検知センサ１６からの検知信号、洗浄水の温度を検出する温度センサ２５ｂからの検出信号などが入力ポートを介して入力される。また、制御装置６０からは、給水減圧弁２４への駆動信号や温水ヒータ２５ａへの駆動信号，流量調整弁２６への駆動信号，流路切替弁２７への駆動信号，おしり洗浄ノズル駆動部３１への駆動信号、ビデ洗浄ノズル駆動部３２への駆動信号などが出力ポートを介して出力される。
【００２４】
次に、こうして構成された洗浄便座装置１０（ノズルユニット２０）の動作について説明する。図５はノズルユニット作動処理の一例を示すフローチャートである。制御装置６０は電源オンの状態でこの処理を実行する。ノズルユニット作動処理では、制御装置６０は、まず、入室検知センサ１５からの検知信号に基づいてトイレ室内への使用者の入室を検知したか否か（Ｓ１００）、着座検知センサ１６からの検知信号に基づいて便座１２への使用者の着座を検知したか否か（Ｓ１１０）、をそれぞれ判定する。制御装置６０は、Ｓ１００で使用者の入室を検知したと判定し且つＳ１１０で使用者の着座を検知したと判定すると、図６に示す局部洗浄用処理を行い（Ｓ１２０）、Ｓ１００で使用者の入室を検知しないと判定すると、図７に示すノズル殺菌用処理を行う（Ｓ１３０）。以下、説明の都合上、ノズル殺菌用処理を説明してから局部洗浄用処理を説明する。
【００２５】
図７のノズル殺菌用処理では、制御装置６０は、まず、トイレ室内への使用者の入室が検知されていない不在時間が一定時間に到達したタイミングであるか否かを判定する（Ｓ４００）。なお、制御装置６０は、図示は省略するが、不在時間を計測していない状態においてＳ１００で使用者の入室を検知しないと判定すると不在時間の計測を開始し、不在時間を計測している状態においてＳ１００で使用者の入室を検知したと判定すると不在時間の計測を終了するものとする。制御装置６０は、Ｓ４００で不在時間が一定時間に到達したタイミングでないと判定すると、そのままノズル殺菌用処理を終了する。制御装置６０は、ノズル殺菌用処理を終了すると、図５のＳ１００に戻り処理を繰り返す。
【００２６】
一方、制御装置６０は、Ｓ４００で不在時間が一定時間に到達したタイミングであると判定すると、高温ノズル洗浄に応じた温度で洗浄水を加熱するように温水ヒータ２５をオン状態とすると共に流量調整弁２６により洗浄水の流量を絞るよう調整する（Ｓ４１０）。また、制御装置６０は、流路切替弁２７による洗浄水の供給先をノズル洗浄器２９に切り替えてノズル洗浄器２９から高温の洗浄水を吐出しながら各洗浄ノズルを進退移動させて高温ノズル洗浄を実行する（Ｓ４２０）。ここで、各洗浄ノズルには、汚物の飛散などにより大腸菌などの細菌が付着することがあり、その細菌を適切に殺菌するためには、特開２００４−９２０３０号公報に記載されているように６０℃以上の高温の洗浄水をかけることが望ましい。このため、ノズル殺菌用処理では、局部洗浄よりも高温（例えば６０〜７０℃程度）の洗浄水をノズル洗浄器２９から吐出させておしり洗浄ノズル２１やビデ洗浄ノズル２２の外表面を洗浄する高温ノズル洗浄を実行するのである。また、この高温ノズル洗浄は、例えば１分や３分などの数分程度に亘って行われる。なお、高温の洗浄水が使用者にかかるのを防ぐために、使用者の不在時に限って高温ノズル洗浄を実行する。
【００２７】
そして、制御装置６０は、高温ノズル洗浄の実行が完了したと判定すると（Ｓ４３０）、温水ヒータ２５をオフとしノズル洗浄器２９から高温の洗浄水の吐出を停止して（Ｓ４４０）、ノズル殺菌用処理を終了する。なお、図示は省略するが、制御装置６０は、高温ノズル洗浄の実行中に使用者の入室を検知した場合には、Ｓ４４０と同様に高温の洗浄水の吐出を停止し、各洗浄ノズルを収納位置に移動させてノズル殺菌用処理を終了する。
【００２８】
次に、図６の局部洗浄用処理を説明する。局部洗浄用処理では、制御装置６０は、まず、上述した高温ノズル洗浄の実行後の経過時間が所定の冷却必要時間内であるか否かを判定する（Ｓ２００）。ここで、高温ノズル洗浄の実行直後は、熱交換ユニット２５や流量調整弁２６、流路切替弁２７を含む洗浄水の流路内に、高温の洗浄水が残存していることになる。この高温の洗浄水は、時間が経過するにつれて温度が低下していき、局部洗浄用の水温である４０℃程度まで低下すれば、使用者の局部にかかっても問題はない。しかし、温度が十分に低下する前に局部洗浄が開始されると、流路内に残存している比較的高温の洗浄水が使用者の局部に吐出されることになってしまう。このため、本実施形態では、高温ノズル洗浄の実行により流路内に残存している高温の洗浄水が４０℃程度まで低下するまでの時間を予め求めておき、求めた時間に若干のマージンを加えてＳ２００の所定の冷却必要時間を定めるものとした。また、制御装置６０は、図７のノズル殺菌用処理のＳ４４０で高温ノズル洗浄の実行を完了してからの経過時間を計測し、Ｓ２００ではその経過時間が所定の冷却必要時間内であるか否かを判定する。
【００２９】
制御装置６０は、Ｓ２００で高温ノズル洗浄の実行後の経過時間が所定の冷却必要時間内であると判定すると、温水ヒータ２５ａをオフとしてノズル洗浄器２９から捨て水を排出する（Ｓ２１０）。これにより、熱交換ユニット２５や流量調整弁２６、流路切替弁２７を含む洗浄水の流路内に残存していた比較的高温の洗浄水を捨て水として排出することができるから、局部洗浄を開始した際に、設定水温よりも高温の洗浄水が洗浄ノズルから吐出されて使用者の局部にかかるのを防止することができる。また、この捨て水は洗浄ノズルにかかるため、洗浄ノズルを洗浄することができる。なお、Ｓ２００で経過時間が所定の冷却必要時間外であると判定した場合や、そもそも高温ノズル洗浄の実行後の経過時間を計測していない場合には、Ｓ２１０の処理をスキップする。
【００３０】
続いて、制御装置６０は、局部洗浄の設定水温に応じて温水ヒータ２５ａをオン状態とすると共に流路切替弁２７による洗浄水の供給先を各洗浄ノズルに切り替えて（Ｓ２２０）、各洗浄ノズルから捨て水を排出する（Ｓ２３０）。ここで、高温ノズル洗浄中に高温の洗浄水がおしり洗浄ノズル２１内やビデ洗浄ノズル２２内に入る場合がある。例えば、図３の状態では、ノズル洗浄器２９から吐出された高温の洗浄水が直接ノズル孔２１ａからおしり洗浄ノズル２１内に入ったり、図４の状態ではノズル洗浄器２９から吐出されておしり洗浄ノズル２１の外表面を伝った高温の洗浄水がノズル孔２１ａからおしり洗浄ノズル２１内に入ったりする。このようにおしり洗浄ノズル２１内に高温の洗浄水が入った状態で局部洗浄が開始されると、設定温度よりも高温の洗浄水が使用者の局部にかかることがある。ビデ洗浄ノズル２２についても同様である。このため、各洗浄ノズルから洗浄水を捨て水として排出することで、高温の洗浄水が洗浄ノズル内に入っていた場合でも使用者の局部に高温の洗浄水がかかるのを防止することができる。なお、洗浄ノズルからの捨て水は、局部洗浄の開始が指示されたときに実行するものなどとしてもよい。
【００３１】
そして、制御装置６０は、局部洗浄（おしり洗浄またはビデ洗浄）の開始が指示されるのを待つ（Ｓ２４０）。Ｓ２４０の判定は、操作パネル１４からの操作信号によりおしり洗浄スイッチやビデ洗浄スイッチが操作されたか否かに基づいて行われる。制御装置６０は、局部洗浄の開始が指示されたと判定すると、流路切替弁２７の供給先をノズル洗浄器２９に切り替えてノズル洗浄器２９から洗浄水を吐出しながら、局部洗浄を行う洗浄ノズル（おしり洗浄ノズル２１またはビデ洗浄ノズル２２のいずれか）を前進させることで、低温ノズル洗浄を実行して（Ｓ２５０）、洗浄ノズルが局部洗浄位置に到達するのを待つ（Ｓ２６０）。なお、低温ノズル洗浄では、高温ノズル洗浄よりも水温の低い洗浄水を用いてノズル洗浄を行う。ここでは、局部洗浄の設定水温に応じて洗浄水を加熱するように温水ヒータ２５ａを駆動しているから、常温よりも高い４０℃程度の洗浄水を用いてノズル洗浄が行われることになり、常温で洗浄するよりも汚れを落としやすいものなる。
【００３２】
また、制御装置６０は、Ｓ２５０で洗浄ノズルが局部洗浄位置に到達したと判定すると、流路切替弁２７の供給先を局部洗浄を行う洗浄ノズルに切り替えてその洗浄ノズルから洗浄水を吐出させる（Ｓ２７０）。即ち、低温ノズル洗浄を終了して局部洗浄を開始する。局部洗浄を開始すると、制御装置６０は、局部洗浄の停止が指示されるのを待つ（Ｓ２８０）。Ｓ２８０の判定は、操作パネル１４の停止スイッチが操作されたか否かに基づいて行われる。制御装置６０は、局部洗浄の停止が指示されたと判定すると、流路切替弁２７の供給先をノズル洗浄器２９に切り替えてノズル洗浄器２９から洗浄水を吐出させながら洗浄ノズルを後退させる（Ｓ２９０）。即ち、局部洗浄を終了して再び低温ノズル洗浄を行うから、局部洗浄の終了直後に低温ノズル洗浄を行うことができる。次に、制御装置６０は、洗浄ノズルがノズルカバー２３内の収納位置に到達したか否かを判定し（Ｓ３００）、到達したと判定すると、温水ヒータ２５ａをオフとしてノズル洗浄器２９からの洗浄水の吐出を終了することで（Ｓ３１０）、低温ノズル洗浄を終了して、局部洗浄用処理を終了する。
【００３３】
このように、局部洗浄を行う際には、局部洗浄の開始前の洗浄ノズルの前進中に低温ノズル洗浄を実行すると共に局部洗浄の終了後の洗浄ノズルの後退中に低温ノズル洗浄を実行するのである。このため、局部洗浄前に、洗浄ノズルに汚れなどが残存していてもそれを除去することができる。また、洗浄ノズルの外表面を洗浄水で濡らすことができるから、局部洗浄中に洗浄ノズルの外表面に汚れが付着しにくくすることができる。また、局部洗浄中に洗浄ノズルに汚れや細菌などが付着しても、局部洗浄後にそれらを洗い落とすことができる。また、制御装置６０は、局部洗浄用処理を終了すると、図５のノズルユニット作動処理のＳ１００に戻り処理を行い、使用者がトイレ室から退室したままの状態であれば図７のノズル殺菌用処理が行われるから、使用者の不在時間が一定時間を経過すると高温ノズル洗浄を実行することになる。この一定時間を数分や数十分程度などの短時間としておけば、局部洗浄後の低温ノズル洗浄で除去しきれなかった汚れが固着したり細菌などが増殖したりする前に、高温の洗浄水を用いてノズル洗浄を行うことができる。細菌を殺菌するには高温の洗浄水が効果的であるから、高温ノズル洗浄を行うことで、洗浄ノズルをより適切に洗浄することができる。
【００３４】
以上説明した洗浄便座装置１０では、局部洗浄の開始前に低温ノズル洗浄を実行し、使用者が退室して一定時間が経過したタイミングで高温ノズル洗浄を実行する。局部洗浄の開始前の低温ノズル洗浄により洗浄ノズルの汚れを局部洗浄の開始前に除去することが可能となる。また、高温ノズル洗浄により、洗浄ノズルに付着した細菌などを殺菌する効果を高めることができる。また、高温ノズル洗浄と低温ノズル洗浄とを併用することにより、電力消費を抑えつつ洗浄ノズルの洗浄機会を増やして汚れの除去を行うことができる。
【００３５】
また、洗浄便座装置１０では、高温ノズル洗浄を実行してから所定の冷却必要時間（所定時間）が経過する前に局部洗浄が行われる際には、温水ヒータ２５ａをオフとして洗浄水を捨て水として排出する。このため、高温ノズル洗浄に用いられた高温の洗浄水が流路に残存していても捨て水として排出して、人体にかかるのを防止することができる。
【００３６】
また、洗浄便座装置１０では、局部洗浄の終了後において使用者が退室してから一定時間が経過したタイミングで高温ノズル洗浄を実行するから、高温の洗浄水が人体にかかるのを確実に防止しつつ、洗浄ノズルに付着した汚れが固着したり細菌が増殖したりする前に高温の洗浄水でそれらを適切に除去することができる。
【００３７】
また、洗浄便座装置１０では、局部洗浄の設定温度と同じ温度で低温ノズル洗浄を実行するから、低温ノズル洗浄を実行した後の捨て水などを不要として速やかに局部洗浄を開始することができる。
【００３８】
上述した実施形態では、局部洗浄の開始前と終了後に低温ノズル洗浄を行うものとしたが、これに限られるものではない。例えば、局部洗浄の開始前に低温ノズル洗浄を行い、局部洗浄の終了後は低温ノズル洗浄を行わないものとしてもよい。このようにしても、局部洗浄の終了後に使用者が退室して一定時間が経過すれば高温ノズル洗浄が行われるから、洗浄ノズルの清潔性が大きく低下することはない。
【００３９】
上述した実施形態では、局部洗浄の終了後に高温ノズル洗浄を行うタイミングを、使用者が退室して一定時間が経過したタイミングとしたが、これに限られず、入室検知センサからの検知信号に基づいて使用者が退室したことを検知したタイミングとしてもよいし、着座検知センサからの検知信号に基づいて使用者が立ち上がったことを検知したタイミングとしてもよい。
【００４０】
上述した実施形態では、局部洗浄の終了後に使用者が退室して一定時間が経過したタイミングで高温ノズル洗浄を行うものとしたが、これに限られず、他のタイミングで高温ノズル洗浄を行うものとしてもよい。例えば、図８の変形例のノズル殺菌用処理に示すように、制御装置６０は、Ｓ４００で不在時間が一定時間に到達したタイミングでないと判定した場合、前回の高温ノズル洗浄後に所定の時間間隔が経過したか否かを判定する（Ｓ４０５）。そして、所定の時間間隔が経過したタイミングであると判定すると、Ｓ４１０以降の高温ノズル洗浄を実行する。これにより、高温ノズル洗浄を実行してから所定の時間間隔が経過したタイミングで高温ノズル洗浄を再実行することができるから、所定の時間間隔毎に高温ノズル洗浄を実行することができる。このため、１回の高温ノズル洗浄で殺菌しきれなかった細菌を殺菌することができるなど殺菌効果をより高めることができる。
【００４１】
あるいは、高温ノズル洗浄を行うタイミングを次のようにしてもよい。例えば、予め定められた所定時刻に高温ノズル洗浄を実行するものとしてもよい。この所定時刻は、夜中などの使用頻度の低い時間帯に定められるものとしてもよい。また、所定時刻の高温ノズル洗浄を毎日実行してもよいし、所定日数毎などに実行してもよい。また、使用頻度の低い時間帯は、制御装置６０が時間帯毎の洗浄便座装置１０の使用回数を計数しておき、その計数結果から定めるものなどとすればよい。あるいは、時間帯毎の洗浄便座装置１０の使用回数の計数結果から、使用頻度の高い時間帯を特定し、その使用頻度の高い時間帯となる直前に高温ノズル洗浄を実行するものなどとしてもよい。
【００４２】
実施形態では、低温ノズル洗浄を局部洗浄と同じ水温で行うものとしたが、これに限られず、温水ヒータ２５ａをオンとすることなく常温で行うなど局部洗浄とは異なる水温で行うものとしてもよい。即ち、所定の低温の洗浄水として加温された洗浄水を用いるものに限られず、常温水を用いるものとしてもよい。
【００４３】
実施形態では、制御装置６０が行うノズルユニット作動処理の中で高温ノズル洗浄を実行するものとしたが、これに限られず、高温ノズル洗浄の実行を指示するための洗浄スイッチを操作パネル１４に設けておき、使用者からの操作指示に基づいて高温ノズル洗浄を実行するものとしてもよい。
【００４４】
実施形態では、高温殺菌用処理で高温ノズル洗浄を実行し局部洗浄用処理で低温ノズル洗浄を実行するものとしたが、これに限られるものではない。例えば、高温殺菌用処理で高温ノズル洗浄を実行した後に続けて低温ノズル洗浄を実行するものなどとしてもよい。実施形態の高温ノズル洗浄では洗浄水の流量を絞るものとしたから、高温ノズル洗浄は殺菌効果は高いものの汚れを洗い落とす洗浄力が低温ノズル洗浄に比べて劣ることがある。このため、高温ノズル洗浄に続けて低温ノズル洗浄を実行することで、殺菌効果と洗浄効果とを両立させることができる。
【００４５】
実施形態では、ノズル洗浄用の洗浄水を吐出する専用のノズル洗浄器２９を設けるものとしたが、これに限られるものではない。例えば、おしり洗浄ノズル２１とビデ洗浄ノズル２２との２本の洗浄ノズルのうち、一方の洗浄ノズルから高温の洗浄水をシャッター２３ａの裏面に向けて吐出させて、シャッター２３ａの裏面で跳ね返った洗浄水で他方の洗浄ノズルを高温ノズル洗浄するものなどとしてもよい。あるいは、洗浄ノズルを１本のみ備えるものであっても、その洗浄ノズルでシャッター２３ａを開状態とすると共にその洗浄ノズルからシャッター２３ａの裏面に向けて高温の洗浄水を吐出させて跳ね返った洗浄水で先端部（吐出孔近傍）の高温ノズル洗浄を行うものなどとしてもよい。
【００４６】
実施形態において、便器１の便鉢部の表面に向かって洗浄水を噴出（噴霧）可能な噴霧器を備え、切替弁２７が洗浄水の供給先を噴霧器に切り替え可能に構成してもよい。そして、高温ノズル洗浄後の捨て水に噴霧器の噴出を用いるものなどとしてもよい。
【００４７】
本実施形態の主要な要素と課題を解決するための手段の欄に記載した発明の主要な要素との対応関係について説明する。本実施形態では、洗浄便座装置１０が「洗浄便座装置」に相当し、おしり洗浄ノズル２１やビデ洗浄ノズル２２が「ノズル」に相当し、温水ヒータ２５ａが「温水ヒータ」に相当し、熱交換ユニット２２が「熱交換器」に相当し、流路切替弁２７が「切替弁」に相当し、制御装置６０が「制御装置」に相当する。また、入室検知センサ１５が「検知手段」に相当する。
【００４８】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４９】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００５０】
本発明は、洗浄便座装置の製造産業などに利用可能である。
【符号の説明】
【００５１】
１  便器、１０  洗浄便座装置、１１  便座装置本体、１２  便座、１３  便蓋、１４  操作パネル、１５  入室検知センサ、１６  着座検知センサ、２０  ノズルユニット、２１  おしり洗浄ノズル、２１ａ  ノズル孔、２２  ビデ洗浄ノズル、２３  カバー、２３ａ  シャッター、２４  給水減圧弁、２５  熱交換ユニット、２５ａ  温水ヒータ、２５ｂ  温度センサ、２６  流量調整弁、２７  流路切替弁、２９  ノズル洗浄器、２９ａ  吐出口、３１  おしり洗浄ノズル駆動部、３２  ビデ洗浄ノズル駆動部、６０  制御装置。
【図１】
2019183512.tif 000003
【図２】
2019183512.tif 000004
【図３】
2019183512.tif 000005
【図４】
2019183512.tif 000006
【図５】
2019183512.tif 000007
【図６】
2019183512.tif 000008
【図７】
2019183512.tif 000009
【図８】
2019183512.tif 000010